(57)【要約】【課題】  本考案は一本の塩化ビニールパイプの中へ、スピーカーボックス部、スピーカーユニット、ホーン部を一体化させ、高音質のスピーカーを実現する。【解決手段】  本考案は一本の塩化ビニールパイプの中へスピーカーボックス部、スピーカーユニット、ホーン部を一体化させる。特にホーン部の吸音材が高質を左右する。木材は背面の木製の蓋のみの使用で軽量化も実現している。本考案は若干の利得と指向性を設けてあるので、パワフル高音質を実現している。スピーカーユニットもパイプの径を変える事により殆どの直径のスピーカーユニットに対応する。又、スピーカーユニットがパイプの中へ収納されているので耐防水性には抜郡の偉力を発揮する。【選択図】図１
0003108204.tif 000002
【実用新案登録請求の範囲】
【請求項１】
スピーカーボックスは木製で四角の既成概念を覆し、一本の塩化ビニールパイプの中へスピーカーボックス、スピーカーユニット、ホーンを一体化させた。特にホーン部分の吸音材は高音質を実現すると共に、ホーン部分の塩化ビニールパイプからの音の拡散を防ぐ役目をして若干の利得と指向性を設けてあるので、パワフルな音が前へ押し出される。環境が叫ばれる現在、木材は後部の蓋のみの使用で森林資源に優しいエコロジー型スピーカーといえる。この手法だと一般のオーディオはもちろん、ミニコンポ、ギターアンプ、野外コンサートのＰＡ用のスピーカーと幅広く対応する。特に野外コンサートの場合、スピーカーユニットが丸出しではないので本考案は雨の来訪者があっても耐防水性に優れている。以上多種の特徴のバズーカー砲型ホーンスピーカー
【考案の詳細な説明】
【技術分野】
【０００１】  本考案は、一本の塩化ビニールパイプへ、スピーカーボックスとホーンを一体化させた、スピーカーに関するものである。
【背景技術】
【０００２】  従来のスピーカーボックスは、木製の四角の箱であり、ホーンスピーカーも箱へ取り付けられており、主に高域音用が多く、中低域の物は殆ど見掛けなかった。
【考案の開示】
【考案が解決しようとす課題】
【０００３】  木材のスピーカーボックスは高価な木材を使用しており、コスト並びに森資源にもダメージを与え贅沢な造りである。しかも重量もあり現在の住宅事情にマッチングをしていない感がある。従って一本の塩化ビニールパイプを使用する事により、軽量化はもちろんの事、スピーカーボックス、ホーンを一体化する事により、特に中低域のホーンスピーカーが低コストで生産可能になり前述の欠点を解決しようとするものである。
【課題を解決するための手段】
【０００４】  本考案は、一本の塩化ビニールパイプの中へスピーカーボックス部、スピーカーユニット部ホーン部を一体化させる。重要なのがホーン部の吸音材であり、音質を左右する。そもそも本考案の出発点が携帯ラジオがトイレットペーパーへ乗り高音質の音がしたからである。本考案は重い材料は殆ど使用しておらず。森林資源もあまり必要とせず軽量化を実現している。構造もシンプルで低コストが実現している。これにより問題点を解決している。
【考案の効果】
【０００５】  上述の様に、本考案のバズーカー砲型ホーンスピーカーは丸型軽量であるので、スピーカーの移動の場合肩に乗せて楽に移動をできる。特に野外コンサートの場合、スピーカーユニットが丸出しでなく若干の利得と指向性を設けてあるので、会場内へパワフルな音が届く。また、スピーカーユニットがパイプの中に収納されているので雨には偉力を発揮する。ホーン部分の吸音材は、実験でも好結果が出ており音質が向上する。従来の技術ではスピーカーボックスとホーンが一本のパイプで一体型の物は正直に見た事がない。
【考案を実施するための最良の形態】
【０００６】  本考案の一番のウィークポイントは、いかにスピーカーユニットをパイプの中へ収納するかであり連結パイプを用いて、連結パイプへスピーカーユニットを固定して後は二本のパイプを連結パイプによって一本化をさせる。一本化をさせる前に吸音材を装着しておき、連結部分には接着剤でガッチリ固定する。これをクリアすれば後は後部の木の蓋を取り付けて、前部のネットを取り付ける。
【実施例】
【０００７】  以下、添付図面に従って一実施例を説明する。１は塩化ビニールパイプでスピーカーボックス部、ホーン部の外枠、２は連結パイプで二本のパイプを一本化する。３はホーン部の吸音材、４はスピーカーユニット、５はスピーカーボックス部の吸音材、６は後部の木製の蓋、７は前部のネット、９は二本のパイプの連結部である。【０００８】  図２からは、１が塩化ビニールパイプで頑丈な物を使用する。３がホーン部分の吸音材でこれが音質のポイントになる。４はホーンの奥に覗くスピーカーユニットである。【０００９】  図３からは、１は６の木の蓋を固定する塩化ビニールパイプ、６は後部の木の蓋、８はアンプ出力からの入力端子である。【００１０】  図４からは、７が前部のネットでホコリ又は水滴等をシャットアウトをする。【００１１】  図５からは、２は連結パイプ兼スピーカーユニット取り付けパイプ、４は奥に覗くスピーカーユニットである。
【図面の簡単な説明】
【００１２】
【図１】  本考案のバズーカー砲型ホーンスピーカーの一実施例を示す側面断面図である。
【図２】  本スピーカーの正面図である。
【図３】  本スピーカーの背面図である。
【図４】  ネットの正面図である。
【図５】  連結兼スピーカーユニット取り付けパイプの正面図である。
【符号の説明】
【００１３】１  塩化ビニールパイプ
２  連結兼スピーカーユニット取り付けパイプ
３  ホーン部の吸音材
４  スピーカーユニット
５  スピーカーボックス部の吸音材
６  背面の木製の蓋
７  ネット
８  入力端子
９  連結接合部
【図１】
0003108204.tif 000003
【図２】
0003108204.tif 000004
【図３】
0003108204.tif 000005
【図４】
0003108204.tif 000006
【図５】
0003108204.tif 000007
【手続補正書】
【提出日】平成16年8月23日(2004.8.23)
【手続補正１】
【補正対象書類名】実用新案登録請求の範囲
【補正対象項目名】全文
【補正方法】変更
【補正の内容】
【実用新案登録請求の範囲】
【請求項１】
連結パイプを用いて、二本のパイプを一本化をさせる。一本化の前にスピーカーユニットを連結パイプの部分にネジで固定し。ホーン部分とスピーカーボックス部分の吸音材を装着して置く。こうする事により外見は一本のパイプに見えるが、後半分はスピーカーボックス、前半分はホーンとして動作をし、高音質のスピーカーシステムになる。連結パイプへスピーカーユニットを固定する事が、スピーカーユニットの内蔵方法としては画期的である。以上多種の特徴のバズーカー砲型ホーンスピーカー
【手続補正書】
【提出日】平成16年11月18日(2004.11.18)
【手続補正１】
【補正対象書類名】実用新案登録請求の範囲
【補正対象項目名】全文
【補正方法】変更
【補正の内容】
【実用新案登録請求の範囲】
【請求項１】
連結パイプを用いて．二本のパイプを一本化させた形状を有するバズーカー砲型ホーンスピーカーであって．一本化の前にスピーカーユニットを連結パイプの連結部分にネジで固定させ．連結パイプの内側であって．ホーン部分とスピーカーボックス部分に吸音材を装着し．こうする事により外見は一本のパイプに見えるが．後半分はスピーカーボックス．前半分はホーンとして動作をする事を特徴とするバズーカー砲型ホーンスピーカー。